(57)【特許請求の範囲】
【請求項１】
一端面にノミを梳き採る櫛歯部が設けられ一側面に柄が設けられた櫛本体と、前記櫛本体と着脱自在な構成とされたノミ収容ケースとを備えるノミ取り用櫛であって、
前記櫛本体は、表裏両面に前記櫛歯部により梳き採られたノミを収容するノミ収容凹部を備え、
前記ノミ収容ケースは、前記櫛本体に装着された際、前記櫛歯部のいずれか一方の面に臨み前記櫛歯部により梳き採られたノミを一時的に受けるノミ受板と、
前記ノミ受板の一端から延設して形成され、前記両ノミ収容凹部のうちいずれか一方のノミ収容凹部と選択的に嵌合可能な蓋部とを備え、
前記ノミ受部で受けたノミが、前記蓋部によって、該蓋部が嵌合された方のノミ収容凹部へ導かれ閉じ込められること
を特徴とするノミ取り用櫛。
【発明の詳細な説明】
【技術分野】
【０００１】
本発明は、ペットのノミを梳き採り、収容することができるノミ取り用櫛に関する。
【背景技術】
【０００２】
ペットにノミが大量に寄生するとノミの吸血によりペットが貧血を起こす場合がある。また、ノミの存在でアレルギー症状を示すペットもいる。そのため、飼い主はノミ取り用櫛を用いてペットからノミを除去している。
【０００３】
飼い主は、ノミ取り用櫛でペットの毛を梳くことでノミを捕獲し、ノミ取り用櫛の櫛歯で梳き採ったノミをその場で捕まえて殺虫するなどしてノミを処分している。ところが、従来のノミ取り用櫛ではペットの毛を梳くごとにノミを処分する必要があるため、ノミが多い場合は非常に時間がかかる作業となっていた。また、ノミ取り用櫛でノミを梳き採っても処分するときにノミが逃げてしまう場合もあった。逃げてしまったノミは再びペットに寄生する場合もあるので、結果的に、ノミ取り作業が無駄になることもあった。
【０００４】
そこで、ペットからノミを梳き採りつつそのノミを収容することができるノミ取り用櫛が提案されていた（例えば、特許文献１参照）。
【特許文献１】特開平９−３７６７２号公報
【発明の開示】
【発明が解決しようとする課題】
【０００５】
特許文献１に記載のノミ取り用櫛は、櫛歯部の基部にノミを収容するノミ収容カバーが設けられており、櫛歯部により梳き採られたノミがそのノミ収容カバー内に閉じ込められるように構成されている。これにより、梳き採ったノミをノミ収容カバー内に閉じ込めることができるので、ノミの逃避を防止することができる。
【０００６】
しかしながら、特許文献１に記載のノミ取り用櫛には、その本体の一側面から柄が設けられていないため、使い勝手が悪く、手首を使ってノミ取り用櫛を繊細に動かすことができないといった問題があった。
【０００７】
そこで、柄のついたノミ取り用櫛にノミ収容カバーを設けることも考えられる。
【０００８】
図７は、ノミ収容カバーを設けた柄付きノミ取り用櫛の使用方法を説明した説明図である。
【０００９】
柄付きのノミ取り用櫛１００は、手首のスナップを利かせることができるのでノミ取り用櫛１００を繊細に動かせることができる。ところが、このようなノミ収容カバー１０４を設けた場合、ペットの毛を梳くときに、常に、ノミ収容カバー１０４が取り付けられていない方の面をペットの体躯に向ける必要があるため、ノミ取り用櫛１００を一方向だけにしか動かせないといった問題があった。例えば、図７に示すように、柄１０３をペットの背方向に、櫛歯部１２８をペットの尾部方向に向けたときに上面となる面にノミ収容カバー１０４が設けられたノミ取り用櫛１００にあっては、そのノミ取り用櫛１００を使用するときは、ノミ取り用櫛１００を、図７中矢符で示すように、ペットの尾部方向へ移動させることができるが、ノミ取り用櫛１００をペットの頭部方向へ移動させにくいといった不都合があった。
【００１０】
ペットの毛を梳くときは、ノミ取り用櫛１００をあらゆる方向に移動させるので、このように一方向にしか毛を梳くことができないものは、有用なものとは云えなかった。
【００１１】
本発明はこのような状況に鑑みてなされたものであり、使い勝手がよく且つ梳き採ったノミを逃がすことなく収容することができるノミ取り用櫛を提供することを目的とする。
【課題を解決するための手段】
【００１２】
本発明に係るノミ取り用櫛は、一端面にノミを梳き採る櫛歯部が設けられ一側面に柄が設けられた櫛本体と、前記櫛本体と着脱自在な構成とされたノミ収容ケースとを備えるノミ取り用櫛であって、前記櫛本体は、表裏両面に前記櫛歯部により梳き採られたノミを収容するノミ収容凹部を備え、前記ノミ収容ケースは、前記櫛本体に装着された際、前記櫛歯部のいずれか一方の面に臨み前記櫛歯部により梳き採られたノミを一時的に受けるノミ受板と、前記ノミ受板の一端から延設して形成され、前記両ノミ収容凹部のうちいずれか一方のノミ収容凹部と選択的に嵌合可能な蓋部とを備え、前記ノミ受部で受けたノミが、前記蓋部によって、該蓋部が嵌合された方のノミ収容凹部へ導かれ閉じ込められることを特徴とする。
【００１３】
本発明によれば、櫛本体にはその一側面に柄が設けられており、櫛歯部と柄とが平行となり、柄が櫛本体に対してそのような位置関係にあることから、手首を使ってノミ取り用櫛を繊細に動かすことができる。また、櫛本体にはその表裏両面にノミ収容凹部が形成されており、他方、ノミ収容ケースは、櫛本体の表裏両面に形成されたノミ収容凹部のそれぞれに嵌合可能な蓋部を有していることから、ノミ収容ケースの蓋部をいずれのノミ収容凹部にも嵌合させることができるので、櫛本体に対するノミ収容ケースの装着態様を変えるだけでペットの毛を梳く方向がいずれの方向（例えば、ペットの頭部方向又は尾部方向など相反する方向）であっても対応することができるとともに、ノミ取り用櫛により梳き採ったノミをノミ収容凹部に確実に収容することができる。つまり、当該構成により、梳き採ったノミを逃さず確実に収容することができ、且つ、ノミ取り用櫛を使い勝手のよいものとすることができる。
【発明の効果】
【００１４】
本発明に係るノミ取り用櫛によれば、適宜ペットの毛の梳く方向を変えながら柄を持ってノミ取り用櫛を繊細に動かしてノミを梳き採ることができ、また、ノミ取り用櫛により梳き採ったノミをノミ収容凹部に確実に収容することができる。
【発明を実施するための最良の形態】
【００１５】
以下、本発明の実施の形態を図面に基づいて説明する。
【００１６】
図１乃至図５は、本発明の実施の形態に係るノミ取り用櫛を示し、図１はその分解斜視図、図２は、組み立て状態における一方からみた斜視図、図３は、組み立て状態における他方からみた斜視図、図４は、ノミ収容ケースの斜視図、図５は、図３の矢符Ｖに沿った断面図である。
【００１７】
本発明のノミ取り用櫛１は、櫛本体２と、ノミ収容ケース４とを備えており、ノミ収容ケース４を櫛本体２に装着することにより、ノミを閉じ込めるノミ収容空間４２（図５参照）を確保するものである。
【００１８】
櫛本体２は、ノミを梳き採る櫛歯部２８を一端面２４に有し、この櫛歯部２８により梳き採られたノミを収容するノミ収容凹部２７を表裏両面２５，２５に備えるとともに、一側面２１ａに柄３が設けられてなる。櫛歯部２８は、複数の櫛歯２８ｂ，２８ｂ・・から構成されている。また、柄３は、複数の櫛歯２８ｂ，２８ｂ・・の配列方向と平行な方向に突設されている。
【００１９】
また、櫛本体２は、櫛歯部２８が植設された肉厚の基部２２と、この基部２２の後方に配置されたノミを収容するノミ収容凹部２７と、柄３とが一体に形成されてなる。なお、以下の説明では、基部２２とノミ収容凹部２７とからなる部分を本体部２１という。
【００２０】
櫛歯同士２８ｂ，２８ｂは、ノミを梳き採ることができるように、ノミが通過できない間隔で、且つ、ペットの毛が通過できる間隔を隔てて配置されている。具体的には、櫛歯同士２８ｂ，２８ｂの隙間は０．１〜０．２ｍｍとされる。また、複数の櫛歯２８ｂ，２８ｂ・・の並びの両端には、その間にある櫛歯２８ｂよりも大径の櫛歯（変形しにくい強度の高いものであればよい。）２８ａが配置されている。このような構成により、障害物と接触することが多い両端を補強することできるので、これら両端の櫛歯２８ａ，２８ａの間にある櫛歯２８ｂ，２８ｂ・・の変形を防止することができる。
【００２１】
ノミ収容凹部２７は、基部２２から本体部２１の後方（基部２２の後方）にわたって形成されており、基部２２では底が浅く後方では底が深くなるように形成されている。なお、図５では、断面視においてノミ収容凹部２７が中心面（各櫛歯２８ｂの中心軸を通過する面）３３に対して対称となるように形成されているが、中心面３３に対し対称に形成されることに限定されるものではない。
【００２２】
ノミ収容凹部２７の縁に沿った部分には、ノミ収容ケース４の蓋部６の縁に設けられた蓋当接部６１と当接する本体当接部２９が設けられている。この本体当接部２９は、本体部２１の表裏両面２５，２５に設けられたノミ収容凹部２７，２７のそれぞれに対して形成されており、これら２つの本体当接部２９，２９は、中心面３３に対して対称に形成されている。
【００２３】
また、本体部２１の一端面（櫛歯部２８が設けられた面）２４であって櫛歯部２８の両外側にも、ノミ収容ケース４の側板７に設けられた側板当接部７１と当接する本体端面当接部３１が設けられている。
【００２４】
また、本体当接部２９，２９の内側（又は外側）には、ノミ収容ケース４の係合凸部６３，８３と係合する係合凹部３４，３４が形成されている。この係合凸部６３，８３と係合凹部３４，３４との係合により、ノミ収容ケース４が本体部２１に対して位置決めされる。
【００２５】
さらに、本体部２１の他端面（一端面２４と反対側の面）２３から柄の付け根部分３５にかけてゴムシート３８が貼り付けられている。これにより、グリップ力を増大させている。
【００２６】
ノミ収容ケース４は、ノミを受けるノミ受板５と、梳き採られたノミをノミ収容凹部２７へ導くとともにノミを閉じ込める蓋部６とを備えており、櫛本体２に着脱自在に装着されるように構成されている。ノミ収容ケース４を櫛本体２に着脱自在に装着させるための係合手段は、例えば、図１に示すように、本体部２１に係合する係合部８として構成される。
【００２７】
本実施の形態では、ノミ収容ケース４は、蓋部６と係合部８とが二股状に配置されており、蓋部６と係合部８との間に櫛本体２を挟着させることによりノミ収容ケース４を櫛本体２に装着できるものとされ、そして、この装着の際、ノミ受板５が櫛歯部２８の片面に臨むように配置されるとともに、ノミ収容空間４２が確保されるように蓋部６がノミ収容凹部２７の上部に配置されるように構成されている。
【００２８】
なお、ノミ収容ケース４は、ノミ受板５、蓋部６、及び係合部８を一体として形成してもよいし、これらを別体として形成してから接合してもよい。
【００２９】
ノミ受板５は、櫛歯部２８により梳き採られたノミを一時的に受けるものであり、櫛歯部２８のいずれか一方の面に臨むように形成されている。
【００３０】
具体的には、外部からノミが視認できるような部材、例えば、透明なプラスチック板により形成され、櫛歯部２８からノミが挿通し得る間隔を隔てて配置されるものとして構成される。ノミ受板５と櫛歯部２８との間隔は、ペットの毛やノミが容易に通過できるように、１〜３ｍｍ程度とされる。
【００３１】
蓋部６は、ノミ受板５の一端から延設して形成され、ノミ受板５により受けたノミをノミ収容凹部２７へ導きこのノミ収容凹部２７にそのノミを閉じ込めるための蓋として形成されている。具体的には、蓋部６は、ノミ収容ケース４を本体部２１に装着させた際、本体部２１に設けられたいずれか一方のノミ収容凹部２７の上部に配置される構成とされている。また、ノミ収容凹部２７の基部２２に係る部分（ノミ収容凹部２７の底が浅い部分）においては、ノミが通過することができる隙間（以下、連通部４１という。）が確保されるように、蓋部６が形成されている（図５参照）。
【００３２】
また、蓋部６は、本体部２１の表裏両面２５，２５に形成された２つのノミ収容凹部２７，２７のいずれにも嵌合するように形成されている。
【００３３】
また、蓋部６の縁には、ノミ収容ケース４と本体部２１が係合した際、ノミ収容凹部２７の縁に設けられた本体当接部２９と当接する蓋当接部６１が設けられている。これにより、蓋部６とノミ収容凹部２７との間に間隙が生ずることが防止されるので、梳き採られたノミを逃さずノミ収容空間４２内に確実に閉じ込めることができる。なお、蓋当接部６１は、本体当接部２９に当接できる構造であればよい。例えば、本実施の形態では、蓋部６に段差を設けるなどの特別な形状とはせずに、平坦に形成された蓋部６の縁そのものが蓋当接部６１とされている。
【００３４】
また、蓋部６の内側面６２には、本体部２１の係合凹部３４と係合する係合凸部６３が形成されている。このような構成により、蓋部６がノミ収容凹部２７に対して位置決めされる。
【００３５】
係合部８は、ノミ収容ケース４を櫛本体２に係合させるための係合手段である。本実施の形態に示すノミ収容ケース４では、ノミ収容ケース４の蓋部６と係合部８とで本体部２１を挟持することにより、ノミ収容ケース４が櫛本体２に係合される。
【００３６】
具体的には、係合部８は、ノミ受板５の両端に垂直に設けられた側板７，７に、櫛歯部２８を挿通させる開口部９１を確保しつつ、ノミ収容ケース４の中心面（ノミ収容ケース４を本体部２１に装着した状態で、中心面３３と一致する面）４５に対して、蓋部６と対称となる位置に設けられている。また、係合部８は、蓋部６と同様の形状に形成されている。つまり、ノミ収容ケース４は、２つの側板７，７の間に、同様の形状を呈した蓋部６と係合部８が二股状に取り付けられ、蓋部６と係合部８の弾性力により蓋部６と係合部８の間に本体部２１を着脱自在に挟着させる構造とされている。
【００３７】
また、係合部８の内側面８２には、蓋部６の内側面６２に係合凸部６３が設けられているのと同様、係合凹部３４に係合する係合凸部８３が形成されている。この係合凸起８３は、中心面４５に対して蓋部６の係合凸部６３と対称な位置に設けられる。
【００３８】
さらに、ノミ収容ケース４の係合部８の外側面８４には、滑り止め用の突起４３が複数設けられている。これにより、ノミ収容ケース４の滑りを防止することができるので、ノミ収容ケース４を本体部２１から容易に着脱することができる。
【００３９】
以上のノミ収容ケース４の構造によれば、ノミ収容ケース４を本体部２１に装着した際、蓋部６の係合凸部６３が係合凹部３４に係合すると共に、係合部８の係合凸部８３が本体部２１の係合凹部３４にも係合させることができるので、ノミ収容ケース４を確実に本体部２１に対して位置決めして固定させることができる。また、２つの係合凹部３４，３４は、中心面３３に対して対称に形成されているので、ノミ収容ケース４を本体部２１に対して向きを変えて装着することにより蓋部６が本体部２１のいずれのノミ収容凹部２７に配置されたとしても、それぞれのノミ収容凹部２７に対して蓋部６を所定位置に配置することができる。また、係合凸部６３，８３は、中心面４５に対して対称となる位置に形成されているので、これら係合凸起６３，８３をいずれの係合凹部３４，３４にも係合させることができる。すなわち、係合凸起６３と係合凸起８３のそれぞれに対して個別の係合凹部を設けるのではなく係合凹部を兼用させているので、デザイン性を向上させることができる。
【００４０】
なお、図４に示した係合部８は実施の形態の一例であって、他の形態であってもよい。
【００４１】
図６は、本発明の実施の形態に係るノミ取り用櫛のノミ収容ケースの他の例を示した斜視図である。
【００４２】
このような係合部８によっても、図４に示した係合部８と同様、本体部２１をノミ収容ケース４の蓋部６と係合部８の間に挟着させることができる。
【００４３】
なお、ノミ収容ケース４を櫛本体２に係合させるための係合手段は、係合部８のような構造、すなわち、蓋部６と共に協働して本体部２１を挟着させる構造とすることに限定されるものではない。例えば、係合手段は、本体部２１の挿入孔に挿入する挿入ピンとして構成してもよい。具体的には、挿入孔は、本体部２１の一端面２４の櫛歯部２８の両端に形成され、挿入ピンはこの挿入孔に挿脱自在に挿入されるピンとしてノミ収容ケース４に設けられる。また、係合手段は、開閉自在なクリップとし本体部２１に係合させる構成としてもよい。これらの係合手段は、ノミ収容ケース４を本体部２１に装着した際、蓋部６を本体部２１の表裏両面２５，２５のうちのいずれの面に配置しても、蓋部６をノミ収容凹部２７に嵌合させることができるように構成される。
【００４４】
次に、以上説明したノミ取り用櫛１を使用してノミを梳き採る方法及びノミが収容されるまでの過程について説明する。
【００４５】
まず、ノミ取り用櫛１を利き手で持ち、ペットの毛を梳く方向を定める。毛の梳く方向が定まれば、櫛歯部２８を当該方向に向ける。このとき、上方を向いた（ペットの体躯の反対側に位置する）ノミ収容凹部２７に蓋部６が配置されるようにノミ収容ケース４を本体部２１に装着する。そうした状態でノミ取り用櫛１を定めた方向に移動させると、ペットの毛は、櫛歯部２８とノミ受板５の間を通過しつつ、櫛歯２８ｂ，２８ｂ・・の間隔から離脱するように流れる。ペットの毛にノミが存在した場合は、櫛歯部２８とノミ受板５との間でノミが捕獲される。このようにして梳き採られたノミはノミ受板５の存在によりその跳躍が妨げられるため、ノミの逃避が防止される。そして、そのノミは、連通部４１を通じてノミ収容凹部２７に収容される。これにより、ノミは、ノミ収容空間４２に閉じ込められるので、そのノミを確実に処分することができる。また、ノミ収容凹部２７は蓋部６により封じられており、ノミが逃れられないので、ノミ収容凹部２７が満杯になるまで継続してペットの毛を梳くことができ、効率的にノミ取り作業を行うことができる。
【００４６】
ペットの毛を梳く方向を変えるときは、ノミ収容ケース４を櫛本体２から外して、ノミを除去し、ノミ収容ケース４を先程とは逆向きにして装着する。このようにすれば、櫛歯部２８の他方の面に臨むようにノミ受板５が配置されると共に、本体部２１の他方のノミ収容凹部２７が蓋部６により封じられるので、先に定めた方向とは逆の方向でペットの毛を梳くことができる。
【００４７】
なお、ノミ取り作業によって捕獲されたノミはノミ収容凹部２７に収容されるが、その処分の際には、中性洗剤を溶かした湯をバケツに張っておき、ノミ収容ケース４を櫛本体２から取り外すとともにこの湯に落とすことによりノミを処分する。このような方法により、ノミを逃さず確実に処分することができる。
【００４８】
以上の構成のノミ取り用櫛１によれば、櫛本体２にはその一側面２１ａに柄が設けられており、櫛歯部２８と柄３とが平行となり、柄３が櫛本体２に対してそのような位置関係にあることから、手首を使ってノミ取り用櫛１を繊細に動かすことができる。また、櫛本体２にはその表裏両面２５，２５にノミ収容凹部２７が形成されており、他方、ノミ収容ケース４は、櫛本体２の表裏両面２５，２５に形成されたノミ収容凹部２７のそれぞれに嵌合可能な蓋部６を有していることから、ノミ収容ケース４の蓋部６をいずれのノミ収容凹部２７にも嵌合させることができるので、櫛本体２に対するノミ収容ケース４の装着態様を変えるだけでペットの毛を梳く方向がいずれの方向（例えば、ペットの頭部方向又は尾部方向など相反する方向）であっても対応することができるとともに、ノミ取り用櫛１により梳き採ったノミをノミ収容凹部２７に確実に収容することができる。つまり、当該構成により、梳き採ったノミを逃さず確実に収容することができ、且つ、ノミ取り用櫛１を使い勝手のよいものとすることができる。
【図面の簡単な説明】
【００４９】
【図１】本発明の実施の形態に係るノミ取り用櫛の分解斜視図である。
【図２】本発明の実施の形態に係るノミ取り用櫛の組み立て状態における一方からみた斜視図である。
【図３】本発明の実施の形態に係るノミ取り用櫛の組み立て状態における他方からみた斜視図である。
【図４】本発明の実施の形態に係るノミ取り用櫛のノミ収容ケースの斜視図である。
【図５】図３の矢符Ｖに沿った断面図である。
【図６】本発明の実施の形態に係るノミ取り用櫛のノミ収容ケースの他の例を示した斜視図である。
【図７】ノミ収容カバーを設けた柄付きノミ取り用櫛の使用方法を説明した説明図である。
【符号の説明】
【００５０】
１            ノミ取り用櫛
２            櫛本体
３            柄
２１          本体部
２７          ノミ収容凹部
２８          櫛歯部
４            ノミ収容ケース
５            ノミ受板
６            蓋部
８            係合部
【図１】
0005011143.tif 000002
【図２】
0005011143.tif 000003
【図３】
0005011143.tif 000004
【図４】
0005011143.tif 000005
【図５】
0005011143.tif 000006
【図６】
0005011143.tif 000007
【図７】
0005011143.tif 000008